(57)【特許請求の範囲】
【請求項１】
生ごみを醗酵処理する生ごみ処理部に、生ごみを投入するための投入口を設け、同投入口に一対の投入口開閉蓋を観音開き状に開閉自在に取付けると共に、両投入口開閉蓋の先端縁部を閉蓋位置にて内外側に重合させ、一方の投入口開閉蓋にピストンロッドを連動連結し、一方の投入口開閉蓋と他方の投入口開閉蓋とを連結ロッドによって連動連結する一方、同連結ロッドと他方の投入口開閉蓋との間に、一方の投入口開閉蓋と他方の投入口開閉蓋との開閉作動にタイムラグを生起させて開閉蓋相互の干渉を回避するためのタイムラグ生起機構を設け、同タイムラグ生起機構は、前記連結ロッドの端部に連結した連結ピンを長孔内に摺動自在に挿通させて構成したことを特徴とする生ごみ処理装置。
【発明の詳細な説明】
【０００１】
【産業上の利用分野】
本発明は、業務上発生する生ごみや、家庭において発生する生ごみを処理して肥料等を生成する生ごみ処理装置に関する。
【０００２】
【従来の技術】
従来、生ごみ処理装置の一形態として、生ごみを破砕すると共に乾燥させる前処理部と、前処理部により破砕・乾燥処理された生ごみを醗酵処理する生ごみ処理部とを具備したものがある。
【０００３】
そして、生ごみ処理部の天井壁には前処理部により前処理された生ごみを投入するための投入口を設け、同投入口に観音開き状の投入口開閉蓋を開閉自在に取付けている。
【０００４】
【発明が解決しようとする課題】
ところが、上記した生ごみ処理装置では、投入口開閉蓋を手動により開閉作動させなければれならないために、かかる投入口開閉蓋の開閉作業に手間を要すると共に、大型の生ごみ処理部では、投入口開閉蓋の重量が増大して、開閉作業が重労働となっていた。
【０００５】
【課題を解決するための手段】
そこで、本発明では、生ごみを醗酵処理する生ごみ処理部に、生ごみを投入するための投入口を設け、同投入口に一対の投入口開閉蓋を観音開き状に開閉自在に取付けると共に、両投入口開閉蓋の先端縁部を閉蓋位置にて内外側に重合させ、一方の投入口開閉蓋にピストンロッドを連動連結し、一方の投入口開閉蓋と他方の投入口開閉蓋とを連結ロッドによって連動連結する一方、同連結ロッドと他方の投入口開閉蓋との間に、一方の投入口開閉蓋と他方の投入口開閉蓋との開閉作動にタイムラグを生起させて開閉蓋相互の干渉を回避するためのタイムラグ生起機構を設け、同タイムラグ生起機構は、前記連結ロッドの端部に連結した連結ピンを長孔内に摺動自在に挿通させて構成したことを特徴とする生ごみ処理装置を提供せんとするものである。
【０００６】
【実施例】
以下に、本発明の実施例を図面を参照しながら説明する。
【０００７】
図１及び図２に示すＡは、本発明に係る生ごみ処理装置であり、同生ごみ処理装置Ａは、架台１上に載置して、生ごみを醗酵処理する生ごみ処理部２と、同生ごみ処理部２の横側方位置に配置して生ごみを破砕・乾燥処理する前処理部３と、同前処理部３を、生ごみ処理部２の横側方において昇降させると共に、同生ごみ処理部２の直上方位置において横移動させる昇降・横移動部４とを設けて構成している。
【０００８】
まず、生ごみ処理部２について説明すると、生ごみ処理部２は、図１及び図２に示すように、架台１上に、内部に撹拌爪（図示せず）を具備する醗酵容器10と、同醗酵容器10内の撹拌爪を駆動する駆動モータ（図示せず）や、醗酵容器10内に温風を供給する温風供給ブロワ（図示せず）等を収納した機能部ケース11とを載置している。
【０００９】
醗酵容器10は、図１〜図３に示すように、天井壁10a に左右一対の投入口12,12 と、各投入口12,12 を開閉する投入口開閉蓋13,13 と、各投入口開閉蓋13,13 を開閉作動させる開閉作動手段14,14 とを設けると共に、前壁10b の下部に左右一対の取出口15,15 と、各取出口15,15 を開閉する取出口開閉蓋16,16 とを設けている。
【００１０】
そして、投入口12は、図５に示すように、醗酵容器10の天井壁10a に連通連設した矩形筒状の投入口形成体70の上端縁に形成しており、同投入口形成体70の左右側壁70a,70a の上部に、左右一対の投入口開閉蓋13,13 の基端縁部をそれぞれ前後方向に軸線を向けた開閉支軸71,71 を介して観音開き状に開閉自在に取付け、背面図である図５において、左側の投入口開閉蓋13の先端縁部に略垂直下方へ突出した嵌合凸部13a を形成する一方、右側の投入口開閉蓋13の先端縁部に凹状に弯曲した嵌合凹部13b を形成して、閉蓋位置にて同嵌合凹部13b 内に嵌合凸部13a が上下重合状態に嵌合して、醗酵容器10内の密封性を良好に確保することができるようにしている。
【００１１】
また、開閉作動手段14は、図１〜図４、図６及び図７に示すように、開閉駆動機構72とタイムラグ生起機構73とを具備している。
【００１２】
開閉駆動機構72は、図３、図６及び図７に示すように、左側の投入口開閉蓋13を開閉支持する開閉支軸71の後端を直後方へ伸延させて伸延部71a を形成し、同伸延部71a の後端に開閉作動アーム74を上方へ向けて立上げると共に、同開閉作動アーム74の上端部を右側方へ屈曲させ、同開閉作動アーム74の上端部に電動シリンダ75のピストンロッド75a の先端を連結ピン76を介して回動自在に連結する一方、投入口形成体70の背後に位置する醗酵容器10の天井壁10a の部分に先端二又状のシリンダステー77を突設し、同シリンダステー77の上端部に上記電動シリンダ75の基端部を連結ピン78を介して回動自在に連結し、同電動シリンダ75の基端には電動モータ79を減速機80を介して連動連設している。87は固定ボルトである。
【００１３】
タイムラグ生起機構73は、図３、図６及び図７に示すように、左側の開閉支軸71の後端に形成した伸延部71a の中途部より左側下方へ向けて左側レバー81を突設する一方、右側の開閉支軸71の後端に形成した伸延部71a の後端より左側上方へ向けて右側レバー82を突設し、同右側レバー82の先端部に右側の開閉支軸71を中心とする円弧状の長孔83を形成し、左側レバー81の先端部に連結ロッド84の一端を連結ピン85を介して回動自在に連結すると共に、右側レバーの長孔83に連結ロッド84の他端を連結ピン86を介して摺動自在かつ回動自在に連結している。
【００１４】
このようにして、生ごみ処理部２では、投入口開閉蓋13,13 を開閉作動手段14,14 により開放作動させて、各投入口12,12 を開口し、各投入口12,12 より醗酵容器10内に生ごみを投入して、同生ごみを撹拌爪により撹拌しながら、温風供給ブロワにより醗酵容器10内に温風を供給することにより、生ごみを醗酵処理することができるようにしている。
【００１５】
この際、左右一対の投入口開閉蓋13,13 の開放作動は、図５及び図６に示すように、電動モータ79を正回転駆動させることにより、減速機80を介して電動シリンダ75のピストンロッド75a を伸長作動させ、開閉作動アーム74→開閉支軸71を回動させて、まず、先端縁部の嵌合突部13a が上方に重合位置している左側の投入口開閉蓋13を開放作動させる一方、上記開閉支軸71→左側レバー81→連結ロッド84→右側レバー82→右側の開閉支軸71を回動させて、嵌合凹部13b が下方に重合位置している右側の投入口開閉蓋13を開放作動させるようにしており、ここで、連結ロッド84の他端は右側レバー82に長孔83を介して連結ピン86により連結しているために、同連結ピン86が長孔83中を摺動する時間だけ右側の投入口開閉蓋13が開放作動されるのにタイムラグが生起されて、左側の投入口開閉蓋13の先端縁部に右側の投入口開閉蓋13を干渉させることなく開放作動させることができるようにしている。
【００１６】
また、左右一対の投入口開閉蓋13,13 の開放作動は、図５及び図７に示すように、電動モータ79を逆回転駆動させることにより、減速機80を介して電動シリンダ75のピストンロッド75a を短縮作動させ、開閉作動アーム75→左側の開閉支軸75→左側の投入口開閉蓋13を直立した起立姿勢となるように回動させると共に、左側開閉支軸75→左側レバー81→連結ロッド84→右側レバー82→右側の投入口開閉蓋13を直立した起立姿勢となるように回動させるようにしており、ここで、右側の投入口開閉蓋13は、図７に示す直立姿勢ａよりも左側方へ回動されると、右側レバー82に形成した長孔83の長さだけ同投入口開閉蓋13が自重により左側方へ回動して傾斜姿勢ｂを採り、その後、左右側の投入口開閉蓋13,13 は同一の回動速度で閉塞作動するために、右側の投入口開閉蓋13が左側の投入口開閉蓋13よりも先行して閉塞位置に到達することになって、両投入口開閉蓋13,13 の先端縁部が相互に干渉し合うのを防止することができる。
【００１７】
また、醗酵処理した処理物は、取出口開閉蓋16,16 を開放して、取出口15,15 を開口させることにより、各取出口15,15 より取出すことができるようにしている。
【００１８】
次に、前処理部３について説明すると、前処理部３は、図１〜図４に示すように、後述する昇降・横移動部４に取付けており、図５に示すように、有底円筒状の内側ケース20内に、有底円筒状のドラム21を回転自在に取付け、同ドラム21の回転中心部にカッター軸22を回転自在に取付け、同カッター軸22に生ごみを破砕すると共に撹拌するカッター23を取付ける一方、内側ケース20の外周面にドラム回転駆動用モータ24と、カッター回転駆動用モータ25とを取付け、各モータ24,25 によりドラム21とカッター23とをそれぞれ同方向又は逆方向に切換自在に回転可能としている。24a,25a はそれぞれ駆動用モータ24,25 の出力軸、21a はドラム回転支軸、26,27,28,29 はそれぞれプーリー、30,31 はそれぞれ伝動ベルトである。
【００１９】
そして、内側ケース20には、図５に示すように、ドラム21を開閉するドラム蓋体32を蓋体開閉アーム33を介して開閉自在に取付ける一方、内側ケース20の外周面に蓋体開閉駆動用モータ34を取付け、同モータ34の出力軸34a に上記蓋体開閉アーム33の回動支軸33a を連動機構35を介して連動連結して、同モータ34によりドラム蓋体32を開閉作動可能としている。44は、内側ケース20を囲繞する外側ケースである。
【００２０】
また、ドラム蓋体32には、図５に示すように、温風供給管36の終端部と、排気管37の始端部とをそれぞれ連通連結しており、温風供給管36の始端部に送風ファン38を連結し、温風供給管36の終端部でドラム蓋体32の外部に送風を加熱するためのヒータ39を取付ける一方、排気管37の終端部にサイクロン形集塵器40を連結し、同サイクロン形集塵器40に吸排気ファン41を連結すると共に、同吸排気ファン41に脱臭器42を連結している。32a は、ドラム蓋体32に設けた視認窓であり、同視認窓32a を透してドラム21内を視認可能としている。
【００２１】
このようにして、送風ファン38より温風供給管36を通して供給される送風を、ヒータ39により加熱して、ドラム21内に温風（乾燥風）にして供給すると共に、同ドラム21内の空気を排気管37→サイクロン形集塵器40→吸排気ファン41→脱臭器42を通して除塵・脱臭して排出するようにしている。
【００２２】
ここで、上記した送風ファン38、サイクロン形集塵器40、吸排気ファン41、及び脱臭器42は、醗酵容器10の背後位置等に配置して、後述する昇降・横移動部４の動作に支障とならないようにしている。
【００２３】
次に、昇降・横移動部４について説明すると、昇降・横移動部４は、図１〜図４に示すように、床面Ｆ上に固定した支持枠体45と、同支持枠体45上に敷設した前後一対のガイドレール46,46 と、両ガイドレール46,46 上にて左右横移動自在に載置した昇降支持機枠47と、同昇降支持機枠47に昇降自在に取付けた昇降枠体48と、同昇降枠体48を昇降させる昇降機構49とから構成している。
【００２４】
そして、支持枠体45は、図１〜図４に示すように、生ごみ処理部２を支持する架台１の前後左右側を囲む横長矩形枠状に形成すると共に、同架台１の右側端部よりも右側方へ伸延させて、張出し部45a を形成している。
【００２５】
ガイドレール46,46 は、図１〜図４に示すように、支持枠体45の前後側部上に左右幅方向に伸延させて敷設し、左右幅を支持枠体45の左右幅と略同一幅に形成している。
【００２６】
昇降支持機枠47は、図１〜図４及び図６に示すように、前後左右に対向する四本の支柱47a,47a,47a,47a と、これら支柱47a,47a,47a,47a の上端に横架した矩形枠状の上部枠体47b とから形成し、各支柱47a,47a,47a,47a の下端に転動輪50,50,50,50 を取付け、同転動輪50,50,50,50 を介して前後一対のガイドレール46,46 上を跨架状態にて左右幅方向に往復移動自在としており、支持枠体45の張出し部45a 上の位置を、前処理部３を醗酵容器10に干渉させることなく昇降させることのできる前処理部昇降位置となしている。
【００２７】
昇降枠体48は、図１〜図４及び図７に示すように、前後左右に対向する支柱47a,47a,47a,47a 間を上下摺動可能な矩形枠状に形成し、同昇降枠体48に、前記した前処理部３を左右幅方向の軸線廻りに回転自在に取付けて、前処理部３の姿勢を変更可能としている。51は前処理部回転支持ブラケット、52は支軸、53は回転駆動用モータ、54は回転駆動用モータ53の出力軸、55はモータステーである。
【００２８】
このようにして、回転駆動用モータ53の出力軸54を正逆回転させることにより、前処理部３を、図３に示す生ごみ破砕乾燥姿勢と、図４に示す生ごみ排出姿勢とに姿勢変更可能として、醗酵容器10の投入口12の直上方位置にて生ごみ排出姿勢に姿勢変更すると共に、ドラム蓋体32を開放動作させた際には、図４に示すように、ドラム21の開口部の下方投影面積と上記投入口12の開口面積とが上下位置に符合して、ドラム21より排出される生ごみが投入口12を通して醗酵容器10内に確実に投入されるようにしている。
【００２９】
昇降機構49は、図６及び図７に示すように、昇降支持機枠47の上部枠体47b の右側後部に昇降駆動用モータ60を取付け、同昇降駆動用モータ60の出力軸60a に巻取り・巻戻しドラム61を取付け、同ドラム61に四本の昇降用ワイヤ62,62,62,62 の基端側部を巻付け、各ワイヤ62,62,62,62 の先端を、昇降枠体48の前後左右側隅部に連結している。63,64,65,66,67はそれぞれワイヤガイドプーリ、68はプーリステー、69は、上部枠体47b の前後左右側隅部に形成したワイヤ挿通孔である。
【００３０】
このようにして、昇降駆動用モータ60の出力軸60a を正逆回転させて昇降用ワイヤ62,62,62,62 を巻取り・巻戻し作動させることにより、昇降枠体48に取付けた前処理部３を床面Ｆに近接する収納位置と、醗酵容器10よりも上方に位置する横移動位置との間で昇降可能としている。
【００３１】
本発明の実施例は、上記のように構成しているものであり、本実施例によれば次のような作用効果が生起される。
【００３２】
すなわち、前処理部３は、図１に示すように、生ごみ破砕乾燥姿勢にて昇降支持機枠47を支持枠体45の張出し部45a 上である前処理部昇降位置に昇降可能としており、前処理部３を最下位置である収納位置まで下降させて収納状態とすることも、また、同収納位置にてドラム蓋体32を開放して生ごみをドラム21内に投入し、同収納位置にて生ごみの破砕・乾燥処理を行なうこともできるようにしている。
【００３３】
そして、上記のように破砕・乾燥処理した生ごみを醗酵容器10に移す場合には、前処理部３を昇降機構49により横移動位置まで上昇させた後、昇降支持機枠47を醗酵容器10側に移動させて、同醗酵容器10の投入口開閉蓋13の直上方位置に前処理部３を配置し、同投入口開閉蓋13を開閉作動機構14により開放動作させ、その後、前処理部３を回転駆動用モータ53により生ごみ破砕乾燥姿勢より生ごみ排出姿勢に姿勢変更すると共に、ドラム蓋体32を蓋体開閉駆動用モータ34により開放動作させることにより、ドラム21内の前処理した生ごみを醗酵容器10内に投入口12を通して供給することができる。
【００３４】
また、醗酵容器10内に前処理した生ごみを供給し終えた後は、上記とは反対の手順を遡って、前処理部３を元の収納位置に復元させることができる。
【００３５】
ここで、生ごみ処理部２と前処理部３と昇降・横移動部４の各駆動部は、制御部（図示せず）により制御して、前処理部３により前処理した生ごみを生ごみ処理部２に自動的に移送することができるようにしている。
【００３６】
【発明の効果】
本発明によれば、次のような効果が生起される。
【００３７】
（１）観音開き状に開閉自在の投入口開閉蓋を、一方の投入口開閉蓋に連動連結したピストンロッドにより自動的に開閉させることができるために、同投入口開閉蓋の開閉作業のための労力を解消することができる。
【００３８】
▲２▼  観音開き状の一対の投入口開閉蓋は、それぞれ先端縁部を閉蓋位置にて内外側に重合させているために、閉蓋状態では投入口の密閉性を良好に確保することができる。
【００３９】
（３）観音開き状で、かつ、先端縁部を閉蓋位置にて内外側に重合させている一対の投入口開閉蓋を、一方の投入口開閉蓋及び他方の投入口開閉蓋を連動連結する連結ロッドと他方の投入口開閉蓋との間に設けたタイムラグ生起機構により、両開閉蓋が相互に干渉しないように開閉作動にタイムラグをもたせることができるために、両開閉蓋の開閉作動を円滑かつ確実に行なうことができる。
【図面の簡単な説明】
【図１】本発明に係る生ごみ処理装置の正面図。
【図２】同生ごみ処理装置の背面図。
【図３】同生ごみ処理装置の側面図。
【図４】同生ごみ処理装置の側面図。
【図５】投入口開閉蓋の背面視による開閉作動説明図。
【図６】開閉作動手段による開放作動説明図。
【図７】開閉作動手段による閉塞作動説明図。
【図８】前処理部の断面側面説明図。
【図９】昇降・横移動部の平面図。
【図１０】同昇降・横移動部の断面平面図。
【符号の説明】
Ａ  生ごみ処理装置
１  架台
２  生ごみ処理部
３  前処理部
４  昇降・横移動部
【図１】
0003641001.tif 000002
【図２】
0003641001.tif 000003
【図３】
0003641001.tif 000004
【図４】
0003641001.tif 000005
【図５】
0003641001.tif 000006
【図６】
0003641001.tif 000007
【図７】
0003641001.tif 000008
【図８】
0003641001.tif 000009
【図９】
0003641001.tif 000010
【図１０】
0003641001.tif 000011